(57)【要約】【課題】強階層の放送と弱階層の放送との間の頻繁な切り替えを抑制すること。【解決手段】実施形態によれば、放送番組受信装置は、一つのチャンネルから強階層の放送信号と弱階層の放送信号とを受信し、受信信号に基づいた受信品質情報を出力するチューナと、複数の第１の期間内に出力された受信品質情報の移動平均に対応する複数の第１の移動平均値を算出し、各第１の移動平均値が各第１の移動平均値に対応する各第１の閾値より低いかを判定する第１の判定手段と、複数の第２の期間内に出力された受信品質情報の移動平均に対応する複数の第２の移動平均値を算出し、各第２の移動平均値が各第２の移動平均値に対応する各第２の閾値より高いかを判定する第２の判定手段と、第１の判定手段または第２の判定手段の判定結果に基づいて、強階層または弱階層の放送番組の再生処理を行う再生手段とを具備する。【選択図】    図４
2013236323.tif 000002
【特許請求の範囲】
【請求項１】
一つのチャンネルから強階層の放送信号と弱階層の放送信号とを受信し、受信信号に基づいた受信品質情報を出力するチューナと、
複数の第１の期間内に出力された受信品質情報の移動平均に対応する複数の第１の移動平均値を算出し、各第１の移動平均値が各第１の移動平均値に対応する各第１のしきい値より低いかを判定する第１の判定手段と、
複数の第２の期間内に出力された受信品質情報の移動平均に対応する複数の第２の移動平均値を算出し、各第２の移動平均値が各第２の移動平均値に対応する各第２のしきい値より高いかを判定する第２の判定手段と、
各第１の移動平均値が各第１の移動平均値に対応する各第１のしきい値より低い場合に、強階層の放送番組の再生処理を行い、各第２の移動平均値が各第２の移動平均値に対応する各第２のしきい値より高い場合に、弱階層の放送番組の再生処理を行う再生処理手段と
を具備する放送番組受信装置。
【請求項２】
前記受信品質情報は、ＢＥＲ(Bit Error Rate)または搬送波対雑音電力比を含む請求項１に記載の放送番組受信装置。
【請求項３】
前記移動平均は、単純移動平均である請求項１に記載の放送番組受信装置。
【請求項４】
前記移動平均は、直近の値ほど重みを強くする加重移動平均である請求項１に記載の放送番組受信装置。
【請求項５】
前記制御手段は、前記弱階層の放送信号に基づいた受信品質情報を取得する請求項１に記載の放送番組受信装置。
【請求項６】
前記複数の第２の期間の総和は、前記複数の第１の期間の総和より長い請求項１に記載の放送番組受信装置。
【請求項７】
前記チューナは、前記強階層の放送信号に基づいた第１の信号および前記弱階層の放送信号第２の信号の一方を出力し、
各第１の移動平均値が各第１の移動平均値に対応する各第１のしきい値より低いと判定した場合、前記第１の判定手段は、前記第１の信号の出力を前記チューナに要求し、
各第２の移動平均値が各第２の移動平均値に対応する各第２のしきい値より高いと判定した場合、前記第２の判定手段は、前記第２の信号の出力を前記チューナに要求する、
請求項１に記載の放送番組受信装置。
【請求項８】
一つのチャンネルから強階層の放送信号と弱階層の放送信号とを受信し、受信信号に基づいた受信品質情報を出力するチューナを備えた放送番組受信方法であって、
複数の第１の期間内に出力された受信品質情報の移動平均に対応する複数の第１の移動平均値を算出し、各第１の移動平均値が各第１の移動平均値に対応する各第１のしきい値より低いかを判定し、
各第１の移動平均値が各第１の期間に対応する各第１のしきい値より低い場合に、強階層の放送番組の再生処理を行い、
複数の第２の期間内に出力された受信品質情報の移動平均に対応する複数の第２の移動平均値を算出し、各第２の移動平均値が各第２の移動平均値に対応する各第２のしきい値より高いかを判定し、
各第２の移動平均値が各第２の移動平均値に対応する各第２のしきい値より高い場合に、弱階層の放送番組の再生処理を行う
放送番組受信方法。
【請求項９】
一つのチャンネルから強階層の放送信号と弱階層の放送信号とを受信し、受信信号に基づいた受信品質情報を出力するチューナを有するコンピュータより実行されるプログラムであって、
複数の第１の期間内に出力された受信品質情報の移動平均に対応する複数の第１の移動平均値を算出し、各第１の移動平均値が各第１の移動平均値に対応する各第１のしきい値より低いかを判定する手順と、
各第１の移動平均値が各第１の移動平均値に対応する各第１のしきい値より低い場合に、強階層の放送番組の再生処理を行う手順と、
複数の第２の期間内に出力された受信品質情報の移動平均に対応する複数の第２の移動平均値を算出し、各第２の移動平均値が各第２の移動平均値に対応する各第２のしきい値より高いかを判定する手順と、
各第２の移動平均値が各第２の移動平均値に対応する各第２のしきい値より高い場合に、弱階層の放送番組の再生処理を行う手順と
を前記コンピュータに実行させるためのプログラム。
【発明の詳細な説明】
【技術分野】
【０００１】
本発明の実施形態は、一つのチャネルから強階層と弱階層の一方に基づいた信号に基づいて放送番組を受信する放送番組受信装置および放送番組受信方法に関する。
【背景技術】
【０００２】
現在、日本国内において、地上波デジタル放送（ISDB-T：Integrated Services Digital Broadcasting - terrestrial）として、モバイル向けの第１の階層の放送（強階層、所謂ワンセグ放送）と、固定局向けの第１の階層より階層が弱い放送（弱階層、所謂フルセグ放送）とが提供されている。
【先行技術文献】
【特許文献】
【０００３】
【特許文献１】特開２００８−４２２２９号公報
【発明の概要】
【発明が解決しようとする課題】
【０００４】
フルセグ放送であっても移動中に視聴可能な場合があるので、ワンセグ放送とフルセグ放送との両方を受信可能なチューナを設け、受信品質に応じて、ワンセグ放送とフルセグ放送とを切り替えることが行われている。
【０００５】
単純に受信品質に応じてワンセグ放送とフルセグ放送とを切り替えると、頻繁に切り替えが生じ、視聴しにくくなってしまう。そのため、このようなチューナにおいては、フルセグ放送からワンセグ放送への切り替えが行われる閾値との二つの閾値を設け、切り替えを頻繁に発生させないようにしている例がある。しかし、このような方式では、二つの閾値を大きくまたぐ変動に対しては頻繁に切り替えが発生してしまう問題がある。
【０００６】
本発明の目的は、強階層と弱階層との間の頻繁な切り替えを抑制することが可能な放送番組受信装置および放送番組受信方法を提供することにある。
【課題を解決するための手段】
【０００７】
実施形態によれば、放送番組受信装置は、チューナと、第１の判定手段と、第２の判定手段と、再生処理手段とを具備する。前記チューナは、一つのチャンネルから強階層の放送信号と弱階層の放送信号とを受信し、受信信号に基づいた受信品質情報を出力する。前記第１の判定手段は、複数の第１の期間内に出力された受信品質情報の移動平均に対応する複数の第１の移動平均値を算出し、各第１の移動平均値が各第１の移動平均値に対応する各第１のしきい値より低いかを判定する。前記第２の判定手段は、複数の第２の期間内に出力された受信品質情報の移動平均に対応する複数の第２の移動平均値を算出し、各第２の移動平均値が各第２の移動平均値に対応する各第２のしきい値より高いかを判定する。前記再生処理手段は、各第１の移動平均値が各第１の移動平均値に対応する各第１のしきい値より低い場合に、強階層の放送番組の再生処理を行い、各第２の移動平均値が各第２の移動平均値に対応する各第２のしきい値より高い場合に、弱階層の放送番組の再生処理を行う。
【図面の簡単な説明】
【０００８】
【図１】実施形態の放送番組受信装置の概観を示す斜視図。
【図２】図１の放送番組受信装置のシステム構成の例を示すブロック図。
【図３】地上波デジタルＴＶ放送の１チャンネルの帯域内の構成を示す図。
【図４】実施形態のチューナおよびＴＶ視聴プログラムの構成の一例を示すブロック図。
【図５】ワンセグ放送とフルセグ放送との間の切替処理の手順を示すフローチャート。
【図６】実施形態の手法と比較手法とによるワンセグ放送とフルセグ放送との間の切り替えの様子を示す図。
【図７】ＢＥＲと、ＢＥＲの直近の３回の単純移動平均値と、ＢＥＲの直近の６回の単純移動平均値の変化を示す図。
【発明を実施するための形態】
【０００９】
以下、実施の形態について図面を参照して説明する。
【００１０】
まず、図１および図２を参照して、本発明の一実施形態に係る情報処理装置（放送番組受信装置）の構成について説明する。
【００１１】
図１は、一実施形態に係る放送番組受信装置の外観を示す斜視図である。この放送番組受信装置は、タブレットコンピュータ、ノートブック型パーソナルコンピュータ、スマートフォン、ＰＤＡ等として実現され得る。以下では、この放送番組受信装置がタブレットコンピュータ１０として実現されている場合を想定する。タブレットコンピュータ１０は、タブレットまたはストレートコンピュータとも称される携帯型放送番組受信装置であり、図１に示すように、本体１１とタッチスクリーンディスプレイ１７とを備える。タッチスクリーンディスプレイ１７は、本体１１の上面に重ね合わせるように取り付けられている。
【００１２】
図２は、コンピュータ１０のシステム構成の一例を示すブロック図である。  
コンピュータ１０は、中央処理装置（ＣＰＵ）１０１、ブリッジ回路１０２、主メモリ１０３、グラフィクスコントローラ（ＧＰＵ）１０５、サウンドコントローラ１０６、ＢＩＯＳ−ＲＯＭ１０７、ソリッドステートドライブ（ＳＳＤ）１０９、ＢＴ（Bluetooth（登録商標））モジュール１１０、カードスロット１１１、無線ＬＡＮコントローラ１１２、エンベデッドコントローラ（ＥＣ）１１３、ＥＥＰＲＯＭ１１４、ＵＳＢコネクタ１３、タッチスクリーンディスプレイ１７、ビデオメモリ（ＶＲＡＭ）１０５Ａ、およびチューナ３０等を備える。
【００１３】
ＣＰＵ１０１は、コンピュータ１０内の各部の動作を制御するプロセッサである。ＣＰＵ１０１は、ＳＳＤ１０９から主メモリ１０３にロードされるオペレーティングシステム（ＯＳ）２０１及び各種アプリケーションプログラムを実行する。アプリケーションプログラムには、テレビ視聴プログラム２０２が含まれている。
【００１４】
テレビ視聴プログラム２０２は、ＴＶチューナ３０によって受信された放送番組データを視聴するためのライブ再生処理、ＴＶチューナ３０によって受信された電子番組データに基づいて電子番組ガイドを表示するための等を実行する。
【００１５】
ＯＳ２０１は、本実施形態では、例えばＡｎｄｒｏｉｄ（登録商標）ＯＳを想定している。つまり、Ａｎｄｒｏｉｄ（登録商標）ＯＳを使用したシステムを想定しており、コンピュータ１０は、Ａｎｄｒｏｉｄ（登録商標）ＯＳを実装した装置を想定している。本実施形態で、なお、本実施形態は、ＯＳ２０１は、Ａｎｄｒｏｉｄ（登録商標）ＯＳ以外のＯＳを実装したコンピュータ１０であってもよい。つまり、本実施形態で述べるようなシステムを他のＯＳを実装したシステムに適用することができるため、Ａｎｄｒｏｉｄ（登録商標）ＯＳ以外のＯＳを実装したコンピュータ１０に対しても、本実施形態で述べるようなシステムを応用することができる。
【００１６】
また、ＣＰＵ１０１は、ＢＩＯＳ−ＲＯＭ１０７に格納されたＢＩＯＳ（basic input/output system）も実行する。ＢＩＯＳは、ハードウェア制御のためのプログラムである。  
ブリッジ回路１０２は、ＣＰＵ１０１のローカルバスと、ＰＣＩ（Peripheral Component Interconnect）バス上の各デバイス及びＬＰＣ（Low Pin Count）バス上の各デバイスと、の間を接続するブリッジデバイスである。また、ＳＳＤ１０９を制御するためのシリアルＡＴＡ（Advanced Technology Attachment）コントローラを内蔵している。さらに、サウンドコントローラ１０６との通信を実行する機能も有している。あるいは、ＰＣＩ ＥＸＰＲＥＳＳ規格のシリアルバスなどを介してＧＰＵ１０５との通信を実行する機能も有している。
【００１７】
ＧＰＵ１０５は、コンピュータ１０のディスプレイモニタとして使用されるＬＣＤ１７Ａを制御する表示コントローラである。このＧＰＵ１０５によって生成される映像信号（表示信号ともいう）はＬＣＤ１７Ａに送られる。
【００１８】
サウンドコントローラ１０６は音源デバイスであり、再生対象のオーディオデータをスピーカ１８Ａ及びスピーカ１８Ｂに出力する。無線ＬＡＮコントローラ１１２は、例えばＩＥＥＥ ８０２．１１規格の無線通信を実行する無線通信デバイスである。
【００１９】
ＥＣ１１３は、電力管理のためのエンベデッドコントローラである。ＥＣ１１３は、ユーザの操作に応じてコンピュータ１０を電源オン／電源オフする機能を有している。電源回路１２１は、コンピュータ１０内のバッテリ１２２から供給される電力、またはＡＣアダプタ１２３のような外部電源から供給される電力を用いて、各コンポーネントに供給すべき動作電力を生成する。また、電源回路１２１は、外部電源から供給される電力を用いてバッテリ１２２の充電も行う。
【００２０】
タッチスクリーンディスプレイ１７には、ＬＣＤ１７Ａのほか、タッチパネル１７Ｂが組み込まれている。ＬＣＤ１７Ａに重ね合わせて配置されるタッチパネル１７Ｂは、センサやＭＣＵ（Micro controller unit）等を有している。タッチパネル１７Ｂ上でタッチ操作が行われると、そのタッチされた位置がセンサによって検出され、当該タッチパネル１７Ｂ上のタッチされた位置を含む入力情報がＭＣＵによって出力される。
【００２１】
ＴＶチューナ３０は地上波デジタルＴＶ放送のようなデジタル放送番組を受信する受信装置であり、アンテナ端子１９に接続されている。図３に示すように、地上波デジタルＴＶ放送の一つのチャンネル（５．５７ＭＨｚの帯域）は、１３のセグメントに分かれた構造となっている。５．５７ＭＨｚ帯域の中央の帯域の１つのセグメントを用いて、「携帯電話・移動体端末向けの1セグメント部分受信サービス」、いわゆるワンセグ放送が行われている。残りの１２のセグメント（フルセグ放送）を用いて、ハイビジョン放送（ＨＤＴＶ）、通常画質の放送（ＳＤＴＶ）が行われる。ハイビジョン放送では１２のセグメントを用い、通常画質放送では４のセグメントを用いる。
【００２２】
ＩＳＤＢ−Ｔ放送では、それぞれのセグメントに対して違った変調をかける事ができる（最大３階層迄）。ＩＳＤＢ−Ｔでは、ＤＱＰＳＫ（Differential Quadrature Phase Shift Keying）、ＱＰＳＫ（Quadrature Phase Shift Keying）、１６ＱＡＭ（Quadrature Amplitude Modulation）、６４ＱＡＭの変調方式を使うことが出来る。例えば、フルセグ放送では、６４ＱＡＭが用いられる。ワンセグでは、６４ＱＡＭより障害やマルチパスに強いＱＰＳＫが用いられる。なお、地上デジタル放送では、ワンセグ放送を強階層、フルセグ放送を弱階層と呼ぶ。
【００２３】
ＩＳＤＢ−Ｔ放送は、ＢＳＴ−ＯＦＤＭ（Band Segmented Transmission - Orthogonal Frequency Division Multiplexing）方式で伝送されている。ＢＳＴ−ＯＦＤＭ方式について説明する。伝送するデータを５，６１７本のキャリアに分けて、それぞれのデータに対してＱＰＳＫあるいはＱＡＭなどのデジタル変調を行う。そのとき１本のデータ（サブキャリア）に対応する搬送波の周波数は０．９９２ｋＨｚとなる。この０．９９２ｋＨｚの搬送波をすき間なく５，６１７本並べ、５．５７ＭＨｚ帯域のテレビ１チャンネル分のＯＦＤＭ信号が形成される。
【００２４】
ＴＶチューナ３０およびデジタル放送を再生するテレビ視聴プログラム２０２ための構成について図４を参照して説明する。
【００２５】
ＴＶチューナ３０は、チューナ回路４０１、フルセグ部４１０、ワンセグ部４２０、および切替器４３０を備えている。
【００２６】
チューナ回路４０１は、アンテナ端子１９から入力されるデジタル放送信号（高周波信号）の中から、所望の受信チャンネルに対応する周波数の信号成分を、それぞれのミキサを用いて中間周波数信号に変換するとともに、中間周波数信号をアンプを用いてフルセグ部４１０およびワンセグ部４２０に入力するための所定の電力レベルに増幅する。
【００２７】
フルセグ部４１０は、ＯＦＤＭ復調器４１１、エラー訂正器４１２、および著作権保護ＬＳＩ４１３を備えている。  
ＯＦＤＭ復調器４１１では、チューナ回路４０１からのアナログの中間周波数信号をそれぞれＡ／Ｄ変換してデジタル信号に変換し、それぞれ直交復調を行って複素デジタル信号に変換し、それぞれＦＦＴ（高速フーリエ変換）を行って周波数軸上のサブキャリア信号に分解した上でからフルセグ放送を再生するための復調信号を出力する。なお、ＯＦＤＭ復調器４１１では、復調時に検出された搬送波対雑音電力比（Ｃ／Ｎ比）値を出力することも可能である。
【００２８】
ＩＳＤＢ−Ｔでは、リードソロモンと畳み込み符号によって、エラー訂正のための符号化が行われている。エラー訂正器４１２は、エラーを検出し、検出したエラーを訂正して誤り訂正信号およびＢＥＲ（Bit Error Rate）を出力する。
【００２９】
エラー訂正器４１２から出力されるデータは、デジタル放送用限定受信方式（ＭＵＬＴＩ２）暗号で暗号化されている。著作権保護ＬＳＩ４１３は、Ｂ−ＣＡＳ（Broadcasting satellite - Conditional Access Systems）カード４４０に格納されている復号鍵を用いてＭＵＬＴＩ２方式の暗号を復号しトランスポートストリーム（ＴＳ）信号を得る。著作権保護ＬＳＩは、ＰＣＩ等の汎用バスにストリームを流すために、ローカル暗号化して、ＰＣＩバスを介してＣＰＵに送る。
【００３０】
ワンセグ部４２０は、ＯＦＤＭ復調器４２１およびエラー訂正器４２２を備えている。ＯＦＤＭ復調器４２１では、チューナ回路４０１からのアナログの中間周波数信号をそれぞれＡ／Ｄ変換してデジタル信号に変換し、それぞれ直交復調を行って複素デジタル信号に変換し、それぞれＦＦＴ（高速フーリエ変換）を行って周波数軸上のサブキャリア信号に分解した上でからワンセグ放送を再生するための復調信号を出力する。なお、ＯＦＤＭ復調器４２１では、復調時に検出された搬送波対雑音電力比（Ｃ／Ｎ比）値を出力することも可能である。
【００３１】
ＩＳＤＢ−Ｔでは、リードソロモンと畳み込み符号によって、エラー訂正のための符号化が行われている。エラー訂正器４２２は、エラーを検出し、検出したエラーを訂正して誤り訂正信号（トランスポートストリーム（ＴＳ））を出力する。
【００３２】
切替器４３０は、後述する制御部の制御の下にフルセグ部４１０から出力されたＴＳ信号およびワンセグ部４２０から出力されたＴＳの一方のＴＳ信号をテレビ視聴プログラム２０２に出力する。
【００３３】
ＴＶチューナ３０からの信号を再生するためのテレビ視聴プログラム２０２は、制御部５０１、デマルチプレクサ５１１、ＳＩデコーダ５１２、ビデオデコーダ５１３、およびオーディオデコーダ５１４等のモジュールを有する。テレビ視聴プログラム２０２のモジュールは、ＣＰＵ１０１によって実行される。
【００３４】
第１の判定手段および第２の判定手段としての制御部５０１は、ＴＶチューナ３０のワンセグ部４２０から定期的にＢＥＲを取得し、取得したＢＥＲをメインメモリ１０３に格納する。メインメモリ１０３には、例えば直近の６個分のＢＥＲが格納される。制御部５０１は、メモリ１０３に格納されているＢＥＲに基づいて、ＴＶチューナ３０にフルセグ放送波およびワンセグ放送波の一方の放送波に基づいたＴＳ信号の出力をＴＶチューナ３０に要求する。
【００３５】
制御部５０１は、例えば直近の３個のＢＥＲの単純移動平均ＳＭＡ3と直近の６個の単純移動平均ＳＭＡ6をそれぞれ算出する。単純移動平均ＳＭＡ3がしきい値ＴＨＡ3より小さい、且つ単純移動平均ＳＭＡ6がしきい値ＴＨＡ6より小さい場合に、ワンセグ放送波に基づいたＴＳ信号の出力をＴＶチューナ３０に要求する。また、制御部５０１は、単純移動平均ＳＭＡ3がしきい値ＴＨＢ3より大きい、且つ単純移動平均ＳＭＡ6がしきい値ＴＨＢ6より大きい場合に、フルセグ放送波に基づいたＴＳ信号の出力をＴＶチューナ３０に要求する。ＴＶチューナ３０は、制御部５０１からの要求に応じたＴＳ信号をテレビ視聴プログラム２０２に供給する。なお、制御部５０１は、最後の要求と同じ要求を出す場合には、要求を出さない。
【００３６】
デマルチプレクサ５１１は、ＴＶチューナ３０から出力されたＴＳ信号から、ＰＳＩ／ＳＩ（Program Specific Information/Service Information：番組特定情報／番組配列情報）、ビデオデータ、およびオーディオデータをそれぞれ分離する。デマルチプレクサ５１１は、分離したＰＳＩ／ＳＩをＰＳＩ／ＳＩデコーダ５１２に出力し、分離したビデオデータをビデオデコーダ５１３に出力し、分離したオーディオデータをオーディオデコーダ５１４に出力する。
【００３７】
ＰＳＩ／ＳＩデコーダ５１２は、ＰＳＩ／ＳＩをデコードする。ＰＳＩ（番組特定情報）は各ＴＳパケットに含まれる情報を識別するための情報であり、このＰＳＩを拡張して番組名や電子番組ガイド（ＥＰＧ：Electric Program Guide）といった番組情報を含めたものがＳＩ（番組配列情報）である。制御部５０１は、入力されるＰＳＩ／ＳＩデータがフルセグ放送およびワンセグ放送のどちらのものであるかをビデオデコーダ５１３に通知する。
【００３８】
再生処理手段としてのビデオデコーダ５１３は、ビデオデータをデコードする。デコードされたビデオデータに基づいて、ＬＣＤに映像が表示される。フルセグ放送のビデオデータは、ＭＰＥＧ−２  Ｖｉｄｅｏ規格でエンコードされている。また、ワンセグ放送のビデオデータは、Ｈ．２６４規格でエンコードされている。制御部５０１は、入力されているビデオデータがフルセグ放送およびワンセグ放送のどちらのものであるかをビデオデコーダ５１３に通知する。
【００３９】
再生処理手段としてのオーディオデコーダ５１４は、オーディオデータをデコードする。デコードされたオーディオデータに基づいて、スピーカから音声が出力される。フルセグ放送およびワンセグ放送のオーディオデータは、ＭＰＥＧ−２  ＡＡＣ規格でエンコードされているが、フルセグ放送のビットレートとワンセグ放送のビットレートとは異なる。制御部５０１は、入力されているビデオデータがフルセグ放送およびワンセグ放送のどちらのものであるかをビデオデコーダ５１３に通知する。
【００４０】
次に、放送波の切替処理について図５のフローチャートを参照して説明する。  
先ず、制御部５０１は、ワンセグ部４２０からＢＥＲを取得してメモリ１０３内に保存する（ステップＢ１１）。制御部５０１は、直近の３個のＢＥＲの単純移動平均ＳＭＡ3と直近の６個の単純移動平均ＳＭＡ6をそれぞれ算出する（ステップＢ１２）。
【００４１】
制御部５０１は、ＳＭＡ3＜ＴＨ3A、且つＳＭＡ6＜ＴＨ6Aであるかを判定する（ステップＢ１３）。ＳＭＡ3＜ＴＨ3A、且つＳＭＡ6＜ＴＨ6Aであると判定した場合（ステップＢ１３のＹｅｓ）、制御部５０１は、ワンセグ放送のＴＳ信号の出力をＴＶチューナ３０に要求する（ステップＢ１６）。ＴＶチューナ３０は、要求に応じてワンセグ放送のＴＳ信号を出力する。なお、最後の要求がワンセグ放送のＴＳ信号の出力の場合、制御部５０１は、ワンセグ放送のＴＳ信号の出力を要求しない。
【００４２】
ＳＭＡ3＜ＴＨ3A、且つＳＭＡ6＜ＴＨ6Aではないと判定した場合（ステップＢ１３のＮｏ）、制御部５０１は、ＳＭＡ3＞ＴＨ3B、且つＳＭＡ6＞ＴＨ6Bであるかを判定する（ステップＢ１４）。ＳＭＡ3＞ＴＨ3B、且つＳＭＡ6＞ＴＨ6Bであると判定した場合（ステップＢ１４のＹｅｓ）、制御部５０１は、フルセグ放送のＴＳ信号の出力をＴＶチューナ３０に要求する（ステップＢ１７）。ＴＶチューナ３０は、要求に応じてフルセグ放送のＴＳ信号を出力する。なお、最後の要求がフルセグ放送のＴＳ信号の出力の場合、制御部５０１は、ワンセグ放送のＴＳ信号の出力を要求しない。
【００４３】
ＳＭＡ3＞ＴＨ3B、且つＳＭＡ6＞ＴＨ6Bではないと判定した場合（ステップＢ１４のＮｏ）、ワンセグ放送のＴＳ信号の出力をＴＶチューナ３０に要求した場合（ステップＢ１６）、フルセグ放送のＴＳ信号の出力をＴＶチューナ３０に要求した場合（ステップＢ１７）、ｗミリ秒待機した後、制御部５０１は、ステップＢ１１からの処理を順次実行する。
【００４４】
上記実施形態では、複数の期間のＢＥＲの単純移動平均を求め、各単純移動平均と各単純移動平均に対応する各しきい値とを比較することによって、ワンセグ放送のＴＳ信号またはフルセグ放送のＴＳ信号の出力を要求していた。本手法と比較手法とによるワンセグ放送とフルセグ放送との間の切り替えの様子を比較する。比較手法は、ＶBERがしきい値ＶTH1より大きい場合にフルセグ放送のＴＳ信号の出力を要求し、ＶBERがしきい値ＶTH2より小さい場合にワンセグ放送のＴＳ信号の出力を要求する。
【００４５】
図６は、本実施形態の手法と比較手法とによるワンセグ放送とフルセグ放送との間の切り替えの様子を示す図である。  
なお、本手法および比較手法は、５００ミリ秒毎に取得されたＢＥＲ値ＶBERに基づいて切り替えの判定を行っている。また、ＶBERが１．００×１０-8より小さい場合、ＶBERを１．００×１０-8としている。
【００４６】
本実施形態の手法の場合、ＴＨ3AはＡ（logＡ＝−３．１）、ＴＨ6AはＢ（logＢ＝−３）、ＴＨ3BはＢ、ＴＨ6BはＣ（logＣ＝−２．９）とした。つまり、−１０×log10(ＳＭＡ3)が３１より大きい、且つ−１０×log10(ＳＭＡ6)が３０より大きい場合に、フルセグ放送のＴＳ信号の出力が要求され、−１０×log10(ＳＭＡ3)が３０より小さい、且つ−１０×log10(ＳＭＡ6)が２９より小さい場合に、ワンセグ放送のＴＳ信号の出力が要求される。
【００４７】
また、比較手法の場合、ＶTH1はＢ（logＢ＝−３）、ＶTH2はＣ（logＣ＝−２．９）とした。つまり、−１０×log10(ＶBER)が３０より大きい場合にフルセグ放送のＴＳ信号の出力を要求し、−１０×log10(ＶBER)が２９より小さい場合にワンセグ放送のＴＳ信号の出力を要求する。
【００４８】
図６に示すように、比較手法の場合、頻繁にＴＳ信号の出力の切り替えが生じている。本手法では、比較手法に比べてＴＳ信号の出力の切り替えの数が少ない。
【００４９】
図７は、ＢＥＲ(ＶBER)と、直近の３回のＢＥＲの単純移動平均値ＳＭＡ3と、直近の６回のＢＥＲの単純移動平均値ＳＭＡ6の変化を示す図。図７では、-１０×log10(ＳＭＡ3)、−１０×log10(ＳＭＡ6)、−１０×log10(ＶBER)の時間変化をしている。
【００５０】
図７に示すように、移動平均は区間が長いほど実際の動きよりも遅れて反応し平滑化する特徴がある。そのため、サンプル区間が短い移動平均に対応するしきい値は、サンプル区間が長い移動平均に対応するしきい値より高く設定することが好ましい。
【００５１】
なお、制御部５０１が、直近の９個のＢＥＲをメモリ１０３に格納するようにし、ステップＢ１２において、３個のＢＥＲの単純移動平均ＳＭＡ3と直近の６個の単純移動平均ＳＭＡ6と直近の９個の単純移動平均ＳＭＡ9をそれぞれ算出しても良い。この場合、ステップＢ１３の処理の代わりに、単純移動平均ＳＭＡ3がしきい値（例えば、５．０１×１０-4）より小さい、且つ単純移動平均ＳＭＡ6がしきい値（例えば、１．００×１０-3）より小さいかを判定する。また、ステップＢ１４の処理の代わりに、単純移動平均ＳＭＡ6がしきい値（例えば、１．００×１０-4）より大きい、且つ単純移動平均ＳＭＡ9がしきい値（例えば、１．００×１０-3）より大きいかを判定する。
【００５２】
フルセグ放送への切り替えの判断に用いる期間の総和が、ワンセグ放送への切り替えの判断に用いる期間の総和より長くしている。移動平均は区間が長いほど実際の動きよりも遅れて反応し平滑化する特徴があるので、フルセグ放送への切り替えの判断に用いる期間を、ワンセグ放送への切り替えの判断に用いる期間より長くすることで、ワンセグ放送からフルセグ放送に頻繁に切り替わることを抑制することが可能になる。
【００５３】
また、切り替えの判断に用いる期間の数を２つとしていたが、３つ以上の期間を用いて切り替えの判断を行っても良い。
【００５４】
また、移動平均として単純移動平均を算出していたが、移動平均として直近の値ほど重みを強くした加重移動平均を算出しても良い。
【００５５】
また、受信品質情報として、ＢＥＲを用いていたが、受信品質情報として搬送波対雑音電力比を用いても良い。
【００５６】
また、ワンセグ放送のＴＳ信号とフルセグ放送のＴＳ信号とを同時に出力可能なチューナを用いても良い。この場合、制御部５０１の判定結果に応じて、デマルチプレクサ５１１がワンセグ放送のＰＳＩ／ＳＩ、ビデオデータ、およびオーディオデータをそれぞれ、ＳＩデコーダ５１２、ビデオデコーダ５１３、オーディオデコーダ５１４に出力する、またはデマルチプレクサ５１１がフルセグ放送のＰＳＩ／ＳＩ、ビデオデータ、およびオーディオデータをそれぞれ、ＳＩデコーダ５１２、ビデオデコーダ５１３、オーディオデコーダ５１４に出力する。
【００５７】
本実施形態によれば、直近の３回および６回のＢＥＲの移動平均値ＳＭＡ3、ＳＭＡ6を算出し、各移動平均値ＳＭＡ3、ＳＭＡ6が各移動平均値ＳＭＡ3、ＳＭＡ6に対応する各第１のしきい値ＴＨ3A、ＴＨ6Aより低い場合に、ワンセグ放送のＴＳ信号の出力をチューナに要求し、各移動平均値ＳＭＡ3、ＳＭＡ6が各移動平均値ＳＭＡ3、ＳＭＡ6に対応する各第１のしきい値ＴＨ3B、ＴＨ6Bより高い場合に、フルセグ放送のＴＳ信号の出力をチューナに要求することで、ワンセグ放送とフルセグ放送との間の頻繁な切り替えを抑制することが可能になる。
【００５８】
本実施形態の切り替えに対する各種処理はコンピュータプログラムによって実現することができるので、このコンピュータプログラムを格納したコンピュータ読み取り可能な記憶媒体を通じてこのコンピュータプログラムをチューナを備えた通常のコンピュータにインストールして実行するだけで、本実施形態と同様の効果を容易に実現することができる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１０…タブレットコンピュータ（放送番組受信装置）、１０１…ＣＰＵ、１０３…主メモリ、１０５…グラフィクスコントローラ、２０２…テレビ視聴プログラム、４０１…チューナ回路、４１０…フルセグ部、４１１…ＯＦＤＭ復調器、４１２…エラー訂正器、４１３…著作権保護ＬＳＩ、４２０…ワンセグ部、４２１…ＯＦＤＭ復調器、４２２…エラー訂正器、４３０…切替器、４４０…Ｂ−ＣＡＳカード、５０１…制御部、５１１…デマルチプレクサ、５１２…ＳＩデコーダ、５１３…ビデオデコーダ、５１４…オーディオデコーダ。
【図１】
2013236323.tif 000003
【図２】
2013236323.tif 000004
【図３】
2013236323.tif 000005
【図４】
2013236323.tif 000006
【図５】
2013236323.tif 000007
【図６】
2013236323.tif 000008
【図７】
2013236323.tif 000009